(57)【要約】【課題】本発明は、眠る時の盗難を防止することができるし、設定時間となると使用者を覚ますことができる。【解決手段】休憩時または眠る時に振動ユニットを駆動して人体に振動を印加すると同時に、電熱線から発熱される熱を人体に印加して疲労を回復することができ、振動ユニットを駆動する時の振動騒音が発生されず、また製造過程を簡単にして生産収率を向上させ得るし、製造コストも節減させることができる。【選択図】        図７
2005103252.tif 000002
【特許請求の範囲】
【請求項１】
動作を制御する制御機（３０）と、既に設定した時間となると前記制御機（３０）のマイクロプロセッサ（３１）から出力される信号により、スピーカー（２３０）を通じて警報音(アラーム)を出力すると同時に、前記制御機（３０）の振動駆動手段（３３）に振動制御信号を出力して、使用者を覚ますように設定した時間をカウントして、前記制御機（３０）のマイクロプロセッサ(３１)に出力するアラームユニット（４００）と、ドアの開放または外部人の侵入を検出した場合、高周波の送信信号をアンテナー（２２８、２６９）を通じて送信する送信ユニット（２２０、２６０）と、前記の送信ユニット（２２０、２６０）から送信される高周波の送信信号を受けて前記の制御機（３０）に出力する受信ユニット（３００）と、前記の制御機（３０）に使用者の命令を入力する入力手段（６０）と、前記の送信ユニット（２２０、２６０）から送信される送信信号を前記の受信ユニット（３００）が受けた場合、前記の入力手段（６０）で入力される使用者の命令が入力された場合及び、前記のアラームユニット（４００）により設定された時間が経過した場合、人体に振動を印加するように、互いに一定間隔を置いて配設された多数の振動ユニット（１０）と、該振動ユニット（１０）を一定間隔を置いて受容するように多数個の受容溝（２２）が中心に沿って形成されると同時に、自体の重量を減するように、前記の受容溝（２２）の左・右側に一定間隔を置いてそれぞれ形成されるカッティング部（２４）がそれぞれ形成された半円柱形状の上部及び下部クッション体（２０ａ、２０ｂ）からなる円柱形状のクッション体（２０）と、該円柱形状のクッション体（２０）の長手方向の一側に形成された受容溝(２６ｂ)に内設され、交流電源を受け取って直流電圧に変換し、前記の制御機（３０）に動作電源に印加するアダプタ（４０）と、前記制御機（３０）の制御の下に、前記のアダプタ（４０）から直流電圧が印加されて人体に熱を印加する発熱板(５０)と、前記入力手段（６０）の温熱オン／オフスイッチ（６２）のスイッチィングのオン時及び、振動のオン／オフスイッチ（６４）のスイッチングのオン時にそれぞれ発光されて、前記の温熱オン／オフスイッチ（６２）及び、振動オン／オフスイッチ（６４）が動作中であることを表示する表示手段（７０）と、前記円柱形状のクッション体（２０）の外周面に固定設置された発熱板（５０）を覆う内部カバー（８０）と、該内部カバー（８０）を覆う外部カバー（９０）と、該外部カバー（９０）の両側の開口部を結ぶロープ（９２）に取り外しができるように固定されて香りを放射する香りケース（１００）と、前記振動ユニット（１０）を駆動する時の破損及び誤動作を防止すると同時に耐久性を向上させるために前記の振動ユニット（１０）を受容するケース（１１０）と、前記の入力手段（６０）に形成されたジャック（６９）に電気的に接続されて陰イオンを放射する陰イオン放射ユニット（２４０）を備えていることを特徴とする疲労回復用のクッション装置。
【請求項２】
前記の振動ユニット（１０）は、互いに一定間隔を置いて配設された第１乃至第３振動モーター（１０ａ、１０ｂ、１０ｃ）であることを特徴とする請求項１記載の疲労回復用のクッション装置。
【請求項３】
前記の振動ユニット（１０）は、互いに一定間隔を置いて配設される多数のソレノイドであることを特徴とする請求項１記載の疲労回復用のクッション装置。
【請求項４】
前記の制御機（３０）は、全体の動作を制御するマイクロプロセッサ（３１）と、前記入力手段（６０）の温熱オン／オフスイッチ（６２）のスイッチングオン時に前記のマイクロプロセッサ（３１）から出力される制御信号により、前記発熱板（５０）の電熱線（５２）に直流電源（ＤＣ）から電源を６０分間印加し、１分の間電源の印加を遮断する周期を１０回繰り返すようにスイッチングオンするリレー（３２）と、前記の送信ユニット（２２０、２６０）から送信される高周波信号を前記の受信ユニット（３００）が受けた場合、前記の入力手段（６０）で使用者の命令を入力する場合または、前記のアラームユニット（４００）により設定された時間が経過した場合に、前記入力手段（６０）の振動オン／オフスイッチ（６４）のスイッチングのオン時に強振動スイッチ（６６）がスイッチングオンされた場合、前記マイクロプロセッサ（３１）の制御により、前記の振動ユニット（１０）を強振動で順次に駆動に、前記の送信ユニット（２２０、２６０）から送信される高周波の送信信号を前記の受信ユニット（３００）が受ける場合、前記の入力手段（６０）で使用者の命令が入力される場合または、前記のアラームユニット（４００）により設定された時間が経過した場合、前記入力手段（６０）の振動オン／オフスイッチ（６４）のスイッチングオン時に弱振動スイッチ（６８）がスイッチングオンされた場合、前記のマイクロプロセッサ（３１）から出力される制御信号により、前記の振動ユニット（１０）を弱振動で順次に駆動する振動駆動手段（３３）と、前記のマイクロプロセッサ（３１）を実行させる実行プログラムが貯蔵されたＥＥＰＲＯＭ（３４）から構成されていることを特徴とする請求項１記載の疲労回復用のクッション装置。
【請求項５】
前記の発熱板（５０）は前記円柱形状のクッション体（２０）の外周面に接着される接着剤層（５１）と、該接着剤層（５１）の上に配設され前記の制御機（３０）により制御され、直流電源（ＤＣ）を印加受けて１時間にかけて熱を放射し、１分間熱を放射しないという周期を１０回繰り返す電熱線（５２）と、該電熱線（５２）の中間に接続され、前記の電熱線（５２）から放熱される温度が一定温度（例えば、６０℃）以上の場合、前記の電熱線（５２）に印加される直流電源（ＤＣ）を遮断するバイメタル（５３）と、前記の電熱線（５２）に隣接配設され、前記電熱線（５２）の発熱温度を検出して前記制御機（３０）のマイクロプロセッサ（３１）に入力する温度検出センサー（５４）と、前記電熱線（５２）、バイメタル（５３）及び温度検出センサー（５４）を被服する絶縁層（５５）と、該絶縁層（５５）を覆うカバー（５６）とから構成されていることを特徴とする請求項１記載の疲労回復用のクッション装置。
【請求項６】
前記の入力手段（６０）は、前記制御機（３０）のマイクロプロセッサ（３１）に発熱板（５０）の電熱線（５２）に直流電源（ＤＣ）の印加命令を入力する温熱オン／オフスイッチ（６２）と、前記制御機（３０）のマイクロプロセッサ（３１）に前記の振動ユニット（１０）を順次に一定時間の間駆動するように使用者の振動制御命令を入力する振動オン／オフスイッチ（６４）と、前記振動ユニット（１０）の駆動を強振動で駆動するように使用者の強振動制御命令を入力する強振動スイッチ（６６）と、前記振動ユニット（１０）の駆動を弱振動で駆動するように使用者の弱振動制御命令を入力する弱振動スイッチ（６８）と、前記陰イオン放射ユニット（２４０）を電気的に接続するジャック（６９）とから構成されていることを特徴とする請求項１記載の疲労回復用のクッション装置。
【請求項７】
前記のアラームユニット（４００）は、警報音（またはアラーム）が鳴らす時間を設定するアラーム時間の設定手段（４１０）と、該アラーム時間の設定手段（４１０）により設定されたアラーム時間を表示するアラーム時間の表示手段（４２０）と、前記アラーム時間の設定手段（４１０）により設定されたアラーム時間をカウントするタイマー（４３０）と、該タイマー（４３０）によりカウントされた時間を、前記制御機（３０）への出力を取り締まるアラームオン／オフスイッチ（ＳＷ２０）とから構成されていることを特徴とする請求項１記載の疲労回復用のクッション装置。
【請求項８】
前記のアラーム時間設定手段（４１０）は、使用者を覚ますアラーム時間を設定するアラーム時間設定スイッチ（４１１）と、前記のアラーム時間設定スイッチ（４１１）が押された場合、アラーム時間を設定するように時間を可変させる時間可変スイッチ（４１２）と、前記のアラーム時間設定スイッチ（４１１）が押された場合、アラーム時間の分を設定するように分を可変させる分の可変スイッチ（４１３）と、前記のアラーム時間設定スイッチ（４１１）、前記の時間可変スイッチ（４１２）及び前記分の可変スイッチ（４１３）により設定された時間がアラーム時間を超過した場合、設定されたアラーム時間及び分を減少させる時間／分の減少スイッチ（４１４）と、前記時間／分の減少スイッチ（４１４）により変更されたアラーム時間が過度に減少された場合、時間／分を増加させる時間／分の増加スイッチ（４１５）と、停電時に前記のアラーム時間設定スイッチ（４１１）、前記の時間可変スイッチ（４１２）及び前記分の可変スイッチ（４１３）により設定されたアラーム時間をリセットさせるリセットスイッチ（４１６）とから構成されていることを特徴とする請求項７記載の疲労回復用のクッション装置。
【請求項９】
前記の送信ユニット（２２０）は、送信動作を制御する送信制御機（２２３）と、ドア用のフレームに設けられた永久磁石（２２１）から出力される磁力線を検出し前記の送信制御機（２２３）に出力する近接スイッチ（２２２）と、前記の永久磁石（２２１）から出力される磁力線を前記の近接スイッチ（２２２）により検出できなかった場合、前記の送信制御機（２２３）から出力される送信制御信号を受けて発振機（２２４）から発振される信号と混合して搬送波に変調する変調手段（２２５）と、前記の変調手段（２２５）から出力される搬送波を無線周波数に増幅するＲＦ増幅手段（２２６）と、該ＲＦ増幅手段（２２６）で無線周波数に増幅された無線信号の低域成分をフィルタリングするローパスフィルター（２２７）と、該ローパスフィルター（２２７）で低域成分がフィルタリングされた無線信号を送信する送信アンテナー（２２８）と、スイッチ（ＳＷ４０）のスイッチングオン時、前記の送信制御機（２２３）に動作電源を供給するバッテリ（２２９）と、前記の送信制御機（２２３）が動作していることを表示する発光ダイオード（ＬＥＤ１０）とから構成されていることを特徴とする請求項１記載の疲労回復用のクッション装置。
【請求項１０】
前記の送信ユニット（２６０）は、送信動作を制御する送信制御機（２６１）と、人体から放射される赤外線を検出する赤外線検出手段（２６２）と、前記の赤外線検出手段（２６２）から検出した赤外線信号を受けてノイズをフィルタリングするノイズフィルター（２６３）と、該ノイズフィルター（２６３）からノイズがフィルタリングされた赤外線信号を受けて一定レベルに増幅して前記の送信制御機（２６１）に出力する増幅手段（２６４）と、前記の送信制御機（２６１）から出力される送信制御信号を受けて発振機（２６５）から発振される信号と混合して搬送波に変調する変調手段（２６６）と、前記の変調手段（２６６）から出力される搬送波を無線周波数に増幅するＲＦ増幅手段（２６７）と、該ＲＦ増幅手段（２６７）で無線周波数に増幅された無線信号の低域成分をフィルタリングするローパスフィルター（２６８）と、該ローパスフィルター（２６８）で低域成分がフィルタリングされた無線信号を送信する送信アンテナー（２６９）と、スイッチ（ＳＷ４１）のスイッチングオン時に前記の送信制御機（２６１）に動作電源を供給するバッテリ（２７０）と、前記の送信制御機（２４１）が動作していることを表示する発光ダイオード（ＬＥＤ１１）とから構成されていることを特徴とする請求項１記載の疲労回復用のクッション装置。
【請求項１１】
前記の受信ユニット（３００）は、前記の送信ユニット（２２０、２６０）の送信アンテナー(２２８、２６９)から送信される無線信号を受信して共振周波数信号を抽出するようにフェライトコアに巻き回されている同調コイル（Ｌ１０）と、該同調コイル（Ｌ１０）に並列接続された同調コンデンサー（Ｃ１０）とからなる受信アンテナー（３１０）と、該受信アンテナー（３１０）から抽出された共振周波数信号を一定レベルに増幅する増幅手段（３１１）と、該増幅手段（３１１）で一定レベルに増幅された共振周波数信号に含まれている直流成分の信号を遮断し、交流成分の信号のみを出力するカップリングコンデンサー（Ｃ２０）と、該カップリングコンデンサー（Ｃ２０）から出力される交流成分の無線周波数信号を所定のレベルに増幅しフィルタリングして検波して、それをデジタル信号に変換するＲＦ受信モジュール（３２０）と、該ＲＦ受信モジュール（３２０）から出力されるデジタル無線周波数信号を前記制御機（３０）のマイクロプロセッサ（３１）への出力を取り締まるスイッチ（ＳＷ１０）とから構成されていることを特徴とする請求項１記載の疲労回復用のクッション装置。
【請求項１２】
前記のＲＦ受信モジュール（３２０）は、前記の受信アンテナー（３１０）に受信された無線周波数信号に含まれている直流成分の信号をカップリングコンデンサー（Ｃ２０）によりフィルタリングして、交流成分の信号のみを受けて所定のレベルに増幅すると同時に、受信周波数をきちんと同調して交流成分の信号のみを出力する第１増幅手段（３２１）と、該第１増幅手段（３２１）で増幅された交流成分の受信信号に含まれているノイズをフィルタリングし検波して出力するフィルター／検波手段（３２３）と、該フィルター／検波手段（３２３）から出力される検波信号に含まれているノイズをフィルタリングするように抵抗（Ｒ７）とキャパシタ（Ｃ５）とからなるＲＣフィルター（３２４）と、該ＲＣフィルター（３２４）でノイズがフィルタリングされた検波信号をデジタル信号に変換するＡ／Ｄ変換機（３２５）とから構成されていることを特徴とする請求項１１記載の疲労回復用のクッション装置。
【請求項１３】
前記の第１増幅手段（３２１）は、前記の受信アンテナー（３１０）に受信された無線周波数信号に含まれている直流成分の信号をカップリングコンデンサ（Ｃ２０）により遮断し、交流成分の信号のみを受けて所定のレベルに増幅するトランジスタ（Ｑ３）と、該トランジスタ（Ｑ３）で増幅された受信信号を受けて受信周波数をきちんと同調するように、キャパシタ（Ｃ３）とフェライトコアに巻き回されているコイル（Ｌ３）から構成されたタンク回路（３２１ａ）と、該タンク回路(３２１ａ)から出力される受信信号に含まれている直流成分の受信信号を遮断し、交流成分の受信信号のみを前記のフィルター／検波手段（３２３）に出力するカップリングコンデンサー（Ｃ４）とから構成されていることを特徴とする請求項１２記載の疲労回復用のクッション装置。
【発明の詳細な説明】
【技術分野】
【０００１】
本発明は、疲労回復用のクッション装置に関するもので、特に盗難を防止し、設定時間となると使用者を覚ますことができ、休憩時または眠る時に振動ユニットを駆動し人体に印加すると同時に、電熱線から発熱される熱を人体に印加して疲労の回復ができる疲労回復用のクッション装置に関する。
【背景技術】
【０００２】
一般的にソファや椅子等に座る時、疲労を回復するためまたは姿勢矯正のために使用者の腰をクッション体にて支え上げている。かかるクッション体は通常、縫製されている外皮の内部に綿を入れ、綿が外に露出されないようにその外部を縫製して、長時間に椅子やソファに座っている時に腰等を支えて疲労を回復するかまたは姿勢を矯正していた。
【０００３】
一方、眠る時に布団と枕のみを利用し硬直した様子で長時間に眠ると、肩または腰等に筋肉痛が発生し、そのため疲労が回復されないだけでなく、長時間の熟眠が取れない等といういろんな問題点があった。
【０００４】
かかる問題点を解消するために、本出願人が２００２年１月１１日付で韓国実用新案登録出願（出願番号第２０−２００２−００００９５９１）して、２００２年４月２２日付で登録受けた下記特許文献１に開示されている“振動モーターが内蔵されているクッション体（以下、“クッション体”と称する）”がある。前記の特許文献１に開示されているクッション体は、一定の長さを有する円柱形状のスポンジに多数個の振動モーターを内設し、該スポンジを被覆しスポンジと一定空間を有するように一側が開封された内皮カバーと、該内皮カバーとスポンジとの間の空間に挿入された緩衝材と、前記スポンジの長手方向の一側端には、前記内皮カバーの開放した一端を挿入固定して円筒模様を形成するようにプラスチック材質のフレームから構成されている。
【０００５】
前記のフレームには、前記それぞれの振動モーターと電線にて連結される充電池と、多数の孔が形成され、スライド式に開閉されるスライド板を有する芳香剤カバーと、前記フレームの内側に芳香剤カバーの下部には、芳香剤が挿入できるように一側が開閉可能な織物からなる外皮カバーとから構成されている。
【０００６】
このように構成された従来のクッション体は、眠る時に胸に抱くか、または腰の下を支えるかまたはクッション体に脚を載せておいて、振動モーターの駆動時に発生する振動を人体に印加しつつ休憩または熟眠を取っていた。
【０００７】
このように構成されている従来のクッション体は、スポンジの間に振動モーターを挿入する過程で、作業者が手作業によりスポンジに振動モーターの受容溝を形成し、該受容溝に振動モーターを挿入していた。
【０００８】
ところが、前記振動モーターの挿入過程で、作業者の不注意により振動モーターの受容溝を振動モーターの大きさよりもっと大きく形成し、前記の受容溝に振動モーターを受容して使う場合、使用の途中で振動モーターの駆動により振動騒音が発生し、振動騒音により休憩がよく取られないだけでなく、熟眠も取れないし、また振動時に振動モーターが動いて振動モーターの寿命が短縮されるといういろんな問題点があった。
【特許文献１】韓国実用新案登録公報第２０−０２７４１７９号
【発明の開示】
【発明が解決しようとする課題】
【０００９】
従って、本発明は前記のいろんな問題点を解決するためになるもので、本発明の目的は、休憩時または眠る時に振動モーターを駆動し人体に振動を印加すると同時に、電熱線から発熱される熱を人体に印加し疲労回復が可能な疲労回復用のクッション装置を提供することにある。
【００１０】
本発明の他の目的は、眠る時の盗難を防止することができる疲労回復用のクッション装置を提供することにある。
【００１１】
本発明のまた他の目的は、設定時間となると使用者を覚ますことができる疲労回復用のクッション装置を提供することにある。
【００１２】
本発明のまた他の目的は、振動ユニットの駆動時に振動騒音が発生されず疲労回復用のクッション装置を提供することにある。
【００１３】
本発明のまた他の目的は、製造過程を簡単にして生産収率を向上させ得る疲労回復用のクッション装置を提供することにある。
【００１４】
本発明のまた他の目的は、製造コストを節減させ得る疲労回復用のクッション体を提供することにある。
【課題を解決するための手段】
【００１５】
前記の目的を達成するための本発明は、動作を制御する制御機と、すでに設定時間となると、前記制御機のマイクロプロセッサから出力される信号により、スピーカーを通じて警報音（アラーム）を出力すると同時に、前記制御機の振動駆動手段に振動制御信号を出力して、使用者を覚ますように設定された時間をカウントして、前記制御機のマイクロプロセッサに出力するアラームユニットと、ドアの開放または外部人の侵入が検出された場合、高周波の送信信号をアンテナーを通じて送信する送信ユニットと、該送信ユニットから送信される高周波の送信信号を受けて前記の制御機に出力する受信ユニットと、前記の制御機に使用者の命令を入力する入力手段と、前記の送信ユニットから送信される送信信号を前記の受信ユニットから受けた場合、前記の入力手段で使用者の命令が入力された場合及び、前記のアラームユニットにより設定された時間が経過した場合、人体に振動を印加するように互いに一定の間隔を置いて配設された多数の振動ユニットと、該振動ユニットを一定の間隔を置いて受容するように多数個の受容溝が中心に沿って形成されると同時に、自体の重量を減少させるように、前記受容溝の左・右側に一定の間隔を置いてそれぞれ形成されるカッティング部が形成された半円柱形状の上部及び下部クッション体からなる円柱形状のクッション体と、前記円柱形状のクッション体の長手方向の一側に形成された受容溝に内設され、交流電源を受けて直流電圧に変換して前記の制御機に動作電源に印加するアダプターと、前記制御機の制御により前記のアダプターから直流電圧を印加受けて人体に熱を印加する発熱板と、前記入力手段の温熱オン／オフスイッチのスイッチングオン時及び、振動オン／オフスイッチのスイッチングオン時にそれぞれ発光されて、前記の温熱オン／オフスイッチ及び、前記の振動オン／オフスイッチが動作中であることを表示する表示手段と、前記円柱形状のクッション体の外周面に固定設置された発熱板を覆う内部カバーと、該内部カバーを覆う外部カバーと、該外部カバーの一側の開口部を結ぶロープに取り外しできるように固定されて香りを放射する香りケースと、前記振動ユニットの駆動時の破損及び誤動作を防止すると同時に、耐久性を向上させるために前記の振動ユニットを受容するケースと、前記の入力手段に形成されたジャックに電気的に接続されて陰イオンを放射する陰イオン放射ユニットとを備えていることを特徴とする。
【発明の効果】
【００１６】
前記の説明の通り、本発明の疲労回復用のクッション装置によると、動作を制御する制御機と、既に設定した時間となると前記制御機のマイクロプロセッサから出力される信号によりスピーカーを通じて警報音（アラーム）を出力すると同時に、前記制御機の振動駆動手段に振動制御信号を出力して使用者を覚ますように設定された時間をカウントして、前記制御機のマイクロプロセッサに出力するアラームユニット、ドアの開放または外部人の侵入を検出した場合、高周波の送信信号をアンテナーを通じて送信する送信ユニットと、該送信ユニットから送信される高周波の送信信号を受けて前記の制御機に出力する受信ユニットと、前記制御機に使用者の命令を入力する入力手段と、前記の送信ユニットから送信される送信信号を前記の受信ユニットが受けた場合、前記の入力手段で使用者の命令が入力された場合及び前記のアラームユニットにより設定された時間が経過した場合、人体に振動を印加するように互いに一定の間隔を置いて配設された多数の振動ユニットと、該振動ユニットを一定の間隔を置いて受容するように、多数個の受容溝が中心に沿って形成されると同時に、自体の重量を減少させるように、前記受容溝の左・右側に一定の間隔を置いてそれぞれ形成されるカッティング部が形成された半円柱形状の上部及び下部クッション体からなる円柱形状のクッション体と、前記円柱形状のクッション体の長手方向の一側に形成された受容溝に内設され、交流電源を受けて直流電圧に変換して前記の制御機に動作電源に印加するアダプタと、前記制御機の制御により前記のアダプタから直流電圧を印加受けて人体に熱を印加する発熱板と、前記入力手段の温熱オン／オフスイッチのスイッチングオン時及び振動オン／オフスイッチのスイッチングオン時にそれぞれ発光され表示する表示手段と、前記円柱形状のクッション体の外周面に固定設置された発熱板を覆う内部カバーと、該内部カバーを覆う外部カバーと、該外部カバーの一側の開口部を結ぶロープに取り外し可能に固定されて香りを放射する香りケースと、前記振動ユニットの駆動時に破損及び誤動作を防止すると同時に、耐久性を向上させるために前記の振動ユニットを受容するケースと、前記の入力手段に形成されたジャックに電気的に接続されて陰イオンを放射する陰イオン放射ユニットを備えているので、眠る間の盗難を防止することができ、設定時間となると使用者を覚ますことができるし、休憩時または眠る時に振動ユニットを駆動して人体に振動を印加すると同時に、電熱線から発熱される熱を人体に印加して疲労を回復することができ、振動ユニットを駆動する時の振動騒音が発生されず、また製造過程を簡単にして生産収率を向上させ得るし、製造コストも節減させることができるという優れた効果がある。
【発明を実施するための最良の形態】
【００１７】
以下、本発明の一実施例による疲労回復用のクッション装置に関し、添付図面により詳細に説明する。
【００１８】
図１は、本発明の一実施例による疲労回復用のクッション装置を概略的に図示した斜視図であり、図２は、図１の上・下部クッション体からなる円柱形状のクッション体を概略的に図示した斜視図であり、図３は、図２の円柱形状のクッション体を分解して図示した斜視図であり、図４は、本発明の一実施例による疲労回復用のクッション装置において、上・下クッション体に内設される振動モーターを受容するケースを分解して図示した斜視図であり、図５は、図１の矢印Ａ−Ａ線に沿って取った縦断面図であり、図６は、本発明の一実施例による疲労回復用のクッション装置における入力手段及び表示手段が設けられた制御機を概略的に図示した平面図であり、図７は、本発明の一実施例による疲労回復用のクッション装置における陰イオン発生ユニット、アラーム時間の設定手段及びアラーム時間の表示手段を概略的に図示した斜視図であり、図８は、本発明の一実施例による疲労回復用のクッション装置を制御する制御機の回路図であり、図９は、本発明の一実施例による疲労回復用のクッション装置に適用される送信ユニットを概略的に図示したブロック図であり、図１０は、本発明の一実施例による疲労回復用のクッション装置に適用されるまたは他の実施例の送信ユニットを概略的に図示したブロック図であり、図１１は、本発明の一実施例による疲労回復用のクッション装置に適用される受信ユニットのＲＦ受信モジュールの詳細回路図である。
【００１９】
図１乃至図１１の図示の通り、本発明の一実施例による疲労回復用のクッション装置は、動作を制御する制御機（３０）と、既に設定した時間となると前記制御機（３０）のマイクロプロセッサ（３１）から出力される信号により、スピーカー（２３０）を通じて警報音(アラーム)を出力すると同時に、前記制御機（３０）の振動駆動手段（３３）に振動制御信号を出力して、使用者を覚ますように、設定された時間をカウントして、前記制御機（３０）のマイクロプロセッサ(３１)に出力するアラームユニット（４００）と、ドアの開放または外部人の侵入を検出した場合、高周波の送信信号をアンテナー（２２８、２６９）を通じて送信する送信ユニット（２２０、２６０）と、該送信ユニット（２２０、２６０）から送信される高周波の送信信号を受けて前記の制御機（３０）に出力する受信ユニット（３００）と、前記の制御機（３０）に使用者の命令を入力する入力手段（６０）と、前記の送信ユニット（２２０、２６０）から送信される送信信号を前記の受信ユニット（３００）で受けた場合、前記の入力手段（６０）で入力される使用者の命令が入力された場合及び、前記のアラームユニット（４００）により設定された時間が経過した場合、人体に振動を印加するように、互いに一定の間隔を置いて配設された多数の振動ユニット（１０）と、該振動ユニット（１０）を一定の間隔を置いて受容するように多数個の受容溝（２２）が中心に沿って形成されると同時に、自体の重量を減少させるように、前記の受容溝（２２）の左・右側に一定の間隔を置いてそれぞれ形成されるカッティング部（２４）がそれぞれ形成された半円柱形状の上部及び下部クッション体（２０ａ、２０ｂ）からなる円柱形状のクッション体（２０）と、該円柱形状のクッション体（２０）の長手方向の一側に形成された受容溝(２６ｂ)に内設され、交流電源を受け取って直流電圧に変換し、前記の制御機（３０）に動作電源に印加するアダプタ（４０）と、前記制御機（３０）の制御の元に、前記のアダプタ（４０）から直流電圧が印加されて人体に熱を印加する発熱板(５０)と、前記入力手段（６０）の温熱オン／オフスイッチ（６２）のスイッチィングオン時及び、振動のオン／オフスイッチ（６４）のスイッチングのオン時にそれぞれ発光されて、前記の温熱オン／オフスイッチ（６２）及び、前記の振動オン／オフスイッチ（６４）が動作中であることを表示する表示手段（７０）と、前記円柱形状のクッション体（２０）の外周面に固定設置された発熱板（５０）を覆う内部カバー（８０）と、該内部カバー（８０）を覆う外部カバー（９０）と、該外部カバー（９０）の両側の開口部を結ぶロープ（９２）に取り外しができるように固定されて香りを放射する香りケース（１００）と、前記振動ユニット（１０）を駆動する時の破損及び誤動作を防止すると同時に、耐久性を向上させるために前記の振動ユニット（１０）を受容するケース（１１０）と、前記の入力手段（６０）に形成されたジャック（６９）に電気的に接続されて陰イオンを放射する陰イオン放射ユニット（２４０）とから構成されている。
【００２０】
前記の振動ユニット（１０）は、互いに一定の間隔を置いて配設された第１乃至第３振動モーター（１０ａ、１０ｂ、１０ｃ）を使うことが好ましいが、前記の第１乃至第３振動モーター（１０ａ、１０ｂ、１０ｃ）の代わりに、互いに一定の間隔を置いて配設される多数のソレノイドを使用してもよい。
【００２１】
前記のケース（１１０）内に前記の第１乃至第３振動モーター（１０ａ、１０ｂ、１０ｃ）を内設した後、前記ケース（１１０）の開口部は蓋（１１０ａ）により覆うことが好ましい。
【００２２】
前記の振動ユニット（１０）は、回転時に振動が発生されるように両側に伸びた回転軸（１２）に、中央に貫通孔（１４ａ）が形成された円形の錘（１４）がそれぞれ偏心になるように設けられている。
【００２３】
前記のクッション体（２０）は、ポリウレタンを発泡成型したスポンジを使用することが好ましい。
【００２４】
前記の制御機（３０）は図８の図示の通り、全体の動作を制御するマイクロプロセッサ（３１）と、前記入力手段（６０）の温熱オン／オフスイッチ（６２）のスイッチングオン時に前記のマイクロプロセッサ（３１）から出力される制御信号により、前記発熱板（５０）の電熱線（５２）に直流電源（ＤＣ）から電源を６０分間印加し、１分の間電源の印加を遮断する周期を１０回繰り返すようにスイッチングオンされるリレー（３２）と、前記の送信ユニット（２２０、２６０）から送信される高周波信号を前記の受信ユニット（３００）が受けた場合、前記の入力手段（６０）で使用者の命令を入力する場合または、前記のアラームユニット（４００）により設定された時間が経過した場合、前記入力手段（６０）の振動オン／オフスイッチ（６４）のスイッチングのオン時に強振動スイッチ（６６）がスイッチングオンされた場合、前記マイクロプロセッサ（３１）の制御により、前記の振動ユニット（１０）を強振動で順次に駆動に、前記の送信ユニット（２２０、２６０）から送信される高周波の送信信号を前記の受信ユニット（３００）が受ける場合、前記の入力手段（６０）で使用者の命令が入力される場合または、前記のアラームユニット（４００）により設定された時間が経過した場合、前記入力手段（６０）の振動オン／オフスイッチ（６４）のスイッチングオン時に弱振動スイッチ（６８）がスイッチングオンされた場合、前記のマイクロプロセッサ（３１）から出力される制御信号により、前記の振動ユニット（１０）を弱振動で順次に駆動する振動駆動手段（３３）と、前記のマイクロプロセッサ（３１）を実行させる実行プログラムが貯蔵されたＥＥＰＲＯＭ（３４; Electrically Erasable Programable Read Only Memory）とから構成されている。
【００２５】
前記のリレー（３２）は、図５及び図８の図示のとおり、前記のマイクロプロセッサ（３１）から出力される制御信号を接地へバイパスしつつ磁化されるリレーコイル（Ｌ１）と、該リレーコイル（Ｌ１）の磁化時に、前記発熱板（６２）の電熱線（５２）にＤＣ電流が流れるように取り締まる駆動及び固定接点（ａ、ｂ）とから構成されている。
【００２６】
前記の発熱板（５０）は、前記円柱形状のクッション体（２０）の外周面に接着される接着剤層（５１）と、該接着剤層（５１）の上に配設され前記制御機（３０）により制御され、直流電源（ＤＣ）を印加受けて１時間にかけて熱を放射し、１分間熱を放射しないという周期を１０回繰り返す電熱線（５２）と、該電熱線（５２）の中間に接続され、該電熱線（５２）から放熱される温度が一定温度（例えば、６０℃）以上の場合、前記の電熱線（５２）に印加される直流電源（ＤＣ）を遮断するバイメタル（５３）と、前記の電熱線（５２）に隣接配設され、前記電熱線（５２）の発熱温度を検出して前記制御機（３０）のマイクロプロセッサ（３１）に入力する温度検出センサー（５４）と、前記の電熱線（５２）、バイメタル（５３）及び温度検出センサー（５４）を被服する絶縁層（５５）と、該絶縁層（５５）を覆うカバー（５６）とから構成されている。
【００２７】
前記の入力手段（６０）は、前記制御機（３０）のマイクロプロセッサ（３１）に発熱板（５０）の電熱線（５２）に直流電源（ＤＣ）の印加命令を入力する温熱オン／オフスイッチ（６２）と、前記制御機（３０）のマイクロプロセッサ（３１）に前記の振動ユニット（１０）を、順次に一定時間の間駆動するように使用者の振動制御命令を入力する振動オン／オフスイッチ（６４）と、前記振動ユニット（１０）の駆動を強振動で駆動するように使用者の強振動制御命令を入力する強振動スイッチ（６６）と、前記振動ユニット（１０）の駆動を弱振動で駆動するように使用者の弱振動制御命令を入力する弱振動スイッチ（６８）と、前記の陰イオン放射ユニット（２４０）を電気的に接続するジャック（６９）とから構成されている。
【００２８】
前記の表示手段（７０）は、前記入力手段（６０）の温熱オン／オフスイッチ（６２）のスイッチングオン時に発光される第１発光ダイオード（ＬＥＤ１）と、前記入力手段（６０）の振動オン／オフスイッチ（６４）のスイッチングオン時に発光される第２発光ダイオード（ＬＥＤ２）とから構成されている。
【００２９】
前記のアラームユニット（４００）は図８の図示のとおり、警報音（またはアラーム）が鳴らす時間を設定するアラーム時間の設定手段（４１０）と、該アラーム時間の設定手段（４１０）により設定されたアラーム時間を表示するアラーム時間の表示手段（４２０）と、前記アラーム時間の設定手段（４１０）により設定されたアラーム時間をカウントするタイマー（４３０）と、該タイマー（４３０）によりカウントされた時間を前記制御機（３０）への出力を取り締まるアラームオン／オフスイッチ（ＳＷ２０）とから構成されている。
【００３０】
前記のアラーム時間設定手段（４１０）は図７の図示のとおり、使用者を覚ますアラーム時間を設定するアラーム時間設定スイッチ（４１１）と、該アラーム時間設定スイッチ（４１１）が押された場合、アラーム時間を設定するように時間を可変させる時間可変スイッチ（４１２）と、前記のアラーム時間設定スイッチ（４１１）が押された場合、アラーム時間の分を設定するように分を可変させる分の可変スイッチ（４１３）と、前記のアラーム時間設定スイッチ（４１１）、前記の時間可変スイッチ（４１２）及び前記分の可変スイッチ（４１３）により設定された時間がアラーム時間を超過した場合、設定されたアラーム時間及び分を減少させる時間／分の減少スイッチ（４１４）と、該時間／分の減少スイッチ（４１４）により変更されたアラーム時間が過度に減少された場合、時間／分を増加させる時間／分の増加スイッチ（４１５）と、停電時に前記のアラーム時間設定スイッチ（４１１）、前記の時間可変スイッチ（４１２）及び前記分の可変スイッチ（４１３）により設定されたアラーム時間をリセットさせるリセットスイッチ（４１６）とから構成されている。
【００３１】
前記の送信ユニット（２２０）は図９の図示のとおり、送信動作を制御する送信制御機（２２３）と、ドア用のフレームに設けられた永久磁石（２２１）から出力される磁力線を検出し前記の送信制御機（２２３）に出力する近接スイッチ（２２２）と、前記の永久磁石（２２１）から出力される磁力線を前記の近接スイッチ（２２２）により検出できなかった場合、前記の送信制御機（２２３）から出力される送信制御信号を受けて、発振機（２２４）から発振される信号と混合し搬送波に変調する変調手段（２２５）と、該変調手段（２２５）から出力される搬送波を無線周波数に増幅するＲＦ増幅手段（２２６）と、該ＲＦ増幅手段（２２６）で無線周波数に増幅された無線信号の低域成分をフィルタリングするローパスフィルター（２２７）と、該ローパスフィルター（２２７）で低域成分がフィルタリングされた無線信号を送信する送信アンテナー（２２８）と、スイッチ（ＳＷ４０）のスイッチングオン時、前記の送信制御機（２２３）に動作電源を供給するバッテリ（２２９）と、前記の送信制御機（２２３）が動作していることを表示する発光ダイオード（ＬＥＤ１０）とから構成されている。
【００３２】
または他の実施例の前記の送信ユニット（２６０）は、図１０の図示のとおり、送信動作を制御する送信制御機（２６１）と、人体から放射される赤外線を検出する赤外線検出手段（２６２）と、前記の赤外線検出手段（２６２）から検出した赤外線信号を受けてノイズをフィルタリングするノイズフィルター（２６３）と、該ノイズフィルター（２６３）からノイズがフィルタリングされた赤外線信号を受けて、一定レベルに増幅して前記の送信制御機（２６１）に出力する増幅手段（２６４）と、前記の送信制御機（２６１）から出力される送信制御信号を受けて発振機（２６５）から発振される信号と混合して搬送波に変調する変調手段（２６６）と、前記の変調手段（２６６）から出力される搬送波を無線周波数に増幅するＲＦ増幅手段（２６７）と、該ＲＦ増幅手段（２６７）で無線周波数に増幅された無線信号の低域成分をフィルタリングするローパスフィルター（２６８）と、該ローパスフィルター（２６８）で低域成分がフィルタリングされた無線信号を送信する送信アンテナー（２６９）と、スイッチ（ＳＷ４１）のスイッチングオン時に前記の送信制御機（２６１）に動作電源を供給するバッテリ（２７０）と、前記の送信制御機（２４１）が動作していることを表示する発光ダイオード（ＬＥＤ１１）とから構成されている。
【００３３】
前記の受信ユニット（３００）は図８の図示のとおり、前記の送信ユニット（２２０、２６０）の送信アンテナー(２２８、２６９)から送信される無線信号を受信して共振周波数信号を抽出するようにフェライトコアに巻き回されている同調コイル（Ｌ１０）と、該同調コイル（Ｌ１０）に並列接続された同調コンデンサー（Ｃ１０）とからなる受信アンテナー（３１０）と、該受信アンテナー（３１０）から抽出された共振周波数信号を一定レベルに増幅する増幅手段（３１１）と、該増幅手段（３１１）で一定レベルに増幅された共振周波数信号に含まれている直流成分の信号を遮断し交流成分の信号のみを出力するカップリングコンデンサー（Ｃ２０）と、該カップリングコンデンサー（Ｃ２０）から出力される交流成分の無線周波数信号を所定のレベルに増幅しフィルタリングして検波して、それをデジタル信号に変換するＲＦ受信モジュール（３２０）と、該ＲＦ受信モジュール（３２０）から出力されるデジタル無線周波数信号を前記制御機（３０）のマイクロプロセッサ（３１）への出力を取り締まるスイッチ（ＳＷ１０）とから構成されている。
【００３４】
前記のＲＦ受信モジュール（３２０）は図１１の図示のとおり、前記の受信アンテナー（３１０）に受信された無線周波数信号に含まれている直流成分の信号をカップリングコンデンサー（Ｃ２０）によりフィルタリングして、交流成分の信号のみを受けて所定のレベルに増幅すると同時に、受信周波数をきちんと同調して交流成分の信号のみを出力する第１増幅手段（３２１）と、該第１増幅手段（３２１）で増幅された交流成分の受信信号に含まれているノイズをフィルタリングし検波して出力するフィルター／検波手段（３２３）と、該フィルター／検波手段（３２３）から出力される検波信号に含まれているノイズをフィルタリングするように抵抗（Ｒ７）とキャパシタ（Ｃ５）とからなるＲＣフィルター（３２４）と、該ＲＣフィルター（３２４）でノイズがフィルタリングされた検波信号をデジタル信号に変換するＡ／Ｄ変換機（３２５）とから構成されている。
【００３５】
前記の第１増幅手段（３２１）は、前記の受信アンテナー（３１０）に受信された無線周波数信号に含まれている直流成分の信号をカップリングコンデンサ（Ｃ２０）により遮断し、交流成分の信号のみを受けて所定のレベルに増幅するトランジスタ（Ｑ３）と、該トランジスタ（Ｑ３）で増幅された受信信号を受けて受信周波数をきちんと同調するように、キャパシタ（Ｃ３）とフェライトコアに巻き回されているコイル（Ｌ３）から構成されたタンク回路（３２１ａ）と、該タンク回路(３２１ａ)から出力される受信信号に含まれている直流成分の受信信号を遮断し、交流成分の受信信号のみを前記のフィルター／検波手段（３２３）に出力するカップリングコンデンサー（Ｃ４）とから構成されている。
【００３６】
図７において未説明の符号２１１は、前記のアダプタ（４０）のプラグ（図示しない）が挿入されるジャックである。
【００３７】
本発明の一実施例による疲労回復用のクッション装置の製造方法に関して説明すると、まず前記円柱形状のクッション体（２０）を構成する半円柱形状の上部及び下部クッション体（２０ａ、２０ｂ）にそれぞれ形成された受容溝（２２）内に、前記の振動ユニット（１０）がそれぞれ内蔵された前記のケース（１１０）を図４のとおりかん入させてから、前記のクッション体（２０）の一側端部に形成された受容溝（２６ｂ）に内設されている前記のアダプタ（４０）に、一側が電気的に連結された２本の±リード線（２７；２７ａ、２７ｂ）の中のいずれ１本のリード線を前記の振動ユニット（１０）の接続端子にそれぞれ並列に接続させる。
【００３８】
次に、前記の±リード線（２７；２７ａ、２７ｂ）の中の他の１本のリード線を前記制御機（３０）のマイクロプロセッサ（３１）に接続させ、該マイクロプロセッサ（３１）に電気的に接続された振動駆動手段（３３）を通じて、前記振動ユニット（１０）の接続端子に電気的に並列に接続させる。
【００３９】
すなわち、前記円柱形状のクッション体（２０）、前記半円柱形状の上部及び下部クッション体（２０ａ、２０ｂ）の中心に一定の間隔を置いて形成された受容溝（２２）内に前記の振動ユニット（１０）がそれぞれ内設された前記のケース（１１０）をかん入させてから、前記クッション体（２０）の一側端部に形成された受容溝（２６ｂ）内にアダプタ（４０）をかん入させて、また前記円柱形状のクッション体（２０）の長手方向の他側に形成された受容溝（２６ａ）内に制御機（３０）をそれぞれかん入させてから、前記アダプタ（４０）のプラグ（図示しない）をジャック（２１１）にかん入させて、これらの振動ユニット（１０），アダプタ（４０）及び制御機（３０）を電気的に接続させてから、前記半円柱形状の上部及び下部クッション体（２０ａ、２０ｂ）の平坦面に接着剤を塗布し、前記半円柱形状の上部及び下部クッション体（２０ａ、２０ｂ）を粘着し前記円柱形状のクッション体（２０）を製造する。
【００４０】
それから、前記円柱形状のクッション体（２０）の外周面に前記発熱板（５０）の接着剤層（５１）を介在して前記の発熱板（５０）を粘着させると、前記円柱形状のクッション体（２０）の外周面に前記の発熱板（５０）が堅固に固定されるし、前記円柱形状のクッション体（２０）の外周面に前記の接着剤層（５１）、絶縁層（５５）、電熱線（５２）及びカバー（５６）の順に位置するようになる。
【００４１】
このように、前記クッション体（２０）の外周面に前記の発熱板（５０）が堅固に固着された前記円柱形状のクッション体（２０）を、前記内部カバー（８０）の長手方向に沿って縫製により固定されたスライドファスナー（図示していない）を開けて前記の内部カバー（８０）の内に前記のクッション体（２０）を取り入れてから、前記の内部カバー（８０）にて被服された前記のクッション体（２０）を前記の外部カバー（９０）にて被覆してから、前記外部カバー（９０）の両側の端にそれぞれかん入されているロープ（９２；または紐）を引き締めて結ぶと、前記円柱形状のクッション体（２０）の受容溝（２６ａ）にかん入された制御機（３０）の入力手段（６０）及び表示手段（７０）が外側に露出され、前記制御機（３０）を操作することができると同時に、表示手段（７０）が見れるので本発明の疲労回復用のクッション装置の動作状態が分かる。
【００４２】
それと同時に、前記クッション体（２０）の受容溝（２６ｂ）に前記アダプタ（４０）及び前記のアラーム時間設定手段（４１０）がかん入されてあり、前記のアラーム時間設定手段（４１０）が前記クッション体（２０）の他側に露出されているので、前記のアラーム時間設定手段（４１０）によりアラーム時間を容易に設定することができるだけでなく、前記のアラーム時間の表示手段（４２０）に表示されるアラーム時間を容易に確認できる。
【００４３】
従って、本発明の疲労回復用のクッション装置は、前記円柱形状のクッション体（２０）の外周面に接着剤層（５１）を介在して前記の発明板（５０）を堅固に固定できるので、製造コストの節減だけでなく、製造収率を向上させ得る。
【００４４】
そして、前記の受信ユニット（３００）は、前記の送信ユニット（２２０、２６０）から送信される高周波の無線送信信号を受けた場合、前記の入力手段（６０）で入力される使用者の命令が入力された場合または、前記のアラームユニット（４００）により設定された時間が経過した場合に、前記入力手段（６０）の振動オン／オフスイッチ（６４）のスイッチングオン時に、前記の振動ユニットを強振動または弱振動に駆動することにより、使用者が疲労を回復できるだけでなく、熟眠の状態でも既に設定した時間となると、前記のスピーカー（２３０）から出力される警報音により起きることができ、また前記の振動ユニット（１０）を強振動または弱振動にして使用者が覚ますことができて盗難事故が防止できる。
【００４５】
次は、このように構成された本発明の一実施例による疲労回復用のクッション装置の作用及び効果に関して説明する。
【００４６】
まず、前記アダプタ（４０）のプラグ（図示しない）をジャック（２１１）に挿入してから、前記のアダプタ（４０）に交流電圧（ＡＣ）を印加すると、該交流電圧（ＡＣ）を直流電圧（ＤＣ）に変換して動作電源として前記制御機（３０）のマイクロプロセッサ（３１）に印加する。
【００４７】
この際、使用者が前記入力手段（６０）の温熱オン／オフスイッチ（６２）をスイッチングオンすると、前記のマイクロプロセッサ（３１）が前記のＥＥＰＲＯＭ（３４）に貯蔵された実行プログラムにより演算処理して、前記のマイクロプロセッサ（３１）から前記リレー（３２）のリレーコイル（Ｌ１）に制御信号を６０分（これは変更できる）の間出力し、１分（これは変更できる）の間遮断する周期を１０回（これは変更できる）繰り返すことにより、前記リレー（３２）の可動接点（ａ）が固定接点（ｂ）に電気的に接触され、前記発熱板（５０）の電熱線（５２）に直流電源（ＤＣ）が６０分の間印加され、１分間遮断するという周期を１０回繰り返して印加されるので、前記発熱板（５０）の電熱線（５２）が発熱されて人体が暖かくなる。
【００４８】
この際、前記発熱板（５０）の内部温度が６０℃を超えると、前記電熱線（５２）の途中に接続されている前記のバイメタル（５３）がオフ（開放）され、前記の電熱線（５２）には直流電源が印加されず過度に加熱されることを防止して、火災の発生を防止し、前記の発熱板（５０）の内に配設された温度検出センサー（５４）により温度を検出して前記のマイクロプロセッサ（３１）に常に出力しているので、前記バイメタル（５３）の動作不能時に前記発熱板（５０）の過熱による火災を防止することができる。
【００４９】
このように、前記発熱板（５０）の電熱線（５２）に直流電源を印加して発熱させて人体を暖かくしつつ、強い振動を人体に印加して疲労を回復したい場合または、前記発熱板（５０）の電熱線（５２）に直流電源を印加しない状態で、強い振動を人体に印加して疲労を回復したい場合は、前記制御機（３０）の入力手段（６０）の振動オン／オフスイッチ（６４）を押してから前記の強振動スイッチ（６６）を押すと、前記制御機（３０）のマイクロプロセッサ（３１）でこれらの信号を受けて前記のＥＥＰＲＯＭ（３４）に貯蔵されている実行プログラムにより演算処理し、前記の振動駆動手段（３３）に強振動制御信号を出力し、前記の振動駆動手段（３３）から出力される駆動信号により、前記の振動ユニット（１０）が一定時間（例えば、１０分；これは可変できる）の間、順次に駆動されながら発生される強い振動を人体に印加して疲労を回復できる。
【００５０】
前記の説明において、前記振動ユニット（１０）の駆動時間を延長したい場合は、前記の振動オン／オフスイッチ（６４）及び強振動スイッチ（６６）を再び押せばよい。
【００５１】
一方、弱い振動を人体に印加して疲労を回復したい場合は、 前記制御機（３０）の入力手段（６０）の振動オン／オフスイッチ（６４）を押してから弱振動スイッチ（６８）を押すと、前記制御機（３０）のマイクロプロセッサ（３１）でこれらの信号を受けて前記のＥＥＰＲＯＭ（３４）に貯蔵されている実行プログラムにより演算処理し、前記の振動駆動手段（３３）に弱振動制御信号を一定時間（例えば、１０分；これは可変できる）の間出力し、前記の振動駆動手段（３３）から出力される駆動信号により前記の振動ユニット（１０）が一定時間（例えば、１０分；これは可変できる）の間、順次に弱振動で駆動されながら発生される弱い振動を人体に印加して疲労を回復できる。
【００５２】
前記の説明において、前記振動ユニット（１０）の駆動時間が延長したい場合、前記の振動オン／オフスイッチ（６４）及び弱振動スイッチ（６８）を再び押せばよい。
【００５３】
そして、人体を温熱させると同時に振動を人体に印加して疲労を回復しつつ、陰イオンにより室内空気を清浄にしようとすれば、前記の入力手段（６０）に形成されたジャック（６９）に陰イオン放射ユニット（２４０）を挿入し電気的に接続させると、前記の陰イオン放射ユニット（２４０）から陰イオンが放射されて室内の空気を清浄に維持することができる。
【００５４】
前記の説明において、前記制御機（３０）の入力手段（６０）に設けられた前記の温熱オン／オフスイッチ（６２）を押すと、前記表示手段（７０）の第１発光ダイオード（ＬＥＤ１）が発光され、前記制御機（３０）の入力手段（６０）に設けられた前記の振動オン／オフスイッチ（６４）を押すと、前記表示手段（７０）の第２発光ダイオード（ＬＥＤ１）が発光される。
【００５５】
従って、本発明は休憩または眠る時に香りケース（１００）から放射される香りを嗅ぎながら前記の振動ユニット（１０）を駆動して人体に振動を印加すると同時に、電熱線から発熱される熱を人体に印加して疲労を回復することができるし、振動ユニットの駆動時に振動騒音が発生されず、また製造過程を簡単にして生産収率を向上させ得るし、また製造コストを節減できる。
【００５６】
前記の説明において、アダプタ（４０）により交流電源を直流電源に変換して前記の振動ユニット（１０）及び発熱板（５０）の電熱線（５２）に直流電源を印加して駆動させるか発熱させることを例をあげて説明したが、本発明はこれに限定されるものではなく、例えば、前記振動ユニット（１０）及び電熱線（５２）に印加される電源を車輌用バッテリに接続されたシガージャクに連結して車輌用バッテリ１２Ｖｄｃの電源が使用できることはもちろんである。
【００５７】
そして、前記送信ユニット（２２０、２６０）のスイッチ（ＳＷ４０、ＳＷ４１）及び前記受信ユニット（ＳＷ１０）のスイッチ（ＳＷ１０）をそれぞれスイッチングオンさせた状態で、本発明の一実施例による疲労回復用のクッション体を胸に抱くかまたは、脚の間に挟んで眠る場合、前記の送信ユニット（２２０、２６０）から送信される高周波の送信信号を受信した場合（外部人侵入の場合）には、前記の送信制御機（２２３、２６１）から送信制御信号を前記の変調手段（２２５、２６６）に出力し、前記の変調手段（２２５、２６６）では前記の発振機（２２４、２６５）から発振される信号と混合して搬送波に変調し、前記の変調手段（２２５、２６６）から出力される搬送波をＲＦ増幅手段（２２６、２６７）で受けて無線周波数に増幅しローパスフィルター（２２７、２６８）に出力する。
【００５８】
前記のローパスフィルタ（２２７、２６８）に入力された増幅された無線周波数信号は、低域成分をフィルタリングして高域の無線周波数信号のみを前記の送信アンテナー（２２８、２６９）を通じて送信し、この際、前記の送信制御機（２２３、２６１）から出力される発光制御信号が電流制限抵抗（Ｒ１０、Ｒ１１）を通じて前記の発光ダイオード（ＬＥＤ１０、ＬＥＤ１１）に電流が流れることにより前記の発光ダイオード（ＬＥＤ１０、ＬＥＤ１１）が発光し、前記のスイッチ（ＳＷ４０、ＳＷ４１）がスイッチングオンされている（前記の送信制御機（２２３、２６１）に前記のバッテリ（２２９、２７０）から電源が印加されていることを表示する。
【００５９】
これにより、前記送信ユニット（２２０、２６１）の送信アンテナー（２２８、２６９）を通じて送信される無線送信周波数信号は、前記受信ユニット（３００）の受信アンテナー（３１０）で受信してフェライトコアに巻線された同調コイル（Ｌ１０）と、該同調コイル（Ｌ１０）に並列接続された同調コンデンサー（Ｃ１０）により設定された共振周波数信号を抽出し、該抽出された共振無線周波数信号は、前記の増幅手段（３１１）にて一定レベルに増幅する。
【００６０】
前記の増幅手段（３１１）にて一定のレベルに増幅された共振無線周波数信号に含まれている直流成分の信号は、カップリングコンデンサー（Ｃ２０）でフィルタリングして交流成分の信号のみを前記のＲＦ受信モジュール（３２０）に出力し、該ＲＦ受信モジュール（３２０）の第１増幅手段（３２１）のトランジスタ（Ｑ３）で一定のレベルに増幅し、該トランジスタ（Ｑ３）で一定のレベルに増幅された受信周波数信号をキャパシタ（Ｃ３）とフェライトコアに巻き回されているコイル（Ｌ３）とから構成されたタンク回路（３２１ａ）で受信周波数できちんと同調し、前記のカップリングコンデンサー（Ｃ４）で受信信号に含まれている直流成分の受信信号を遮断して交流成分の受信信号のみを前記のフィルタ／検波手段（３２３）に出力する。
【００６１】
前記のフィルタ／検波手段（３２３）では、前記第１増幅手段（３２１）のタンク回路（３２１ａ）にて増幅された交流成分の受信信号に含まれているノイズをフィルタリングし検波し、抵抗（Ｒ７）とキャパシタ（Ｃ５）とからなるＲＣフィルタ（３２４）で検波信号に含まれているノイズをフィルタリングし、前記のＡ／Ｄ変換機（３２５）でデジタル信号に変換してスイッチ（ＳＷ１０）を通じて前記制御機（３０）のマイクロプロセッサ（３１）に出力する。
【００６２】
これにより、前記制御機（３０）のマイクロプロセッサ（３１）では、前記の振動駆動手段（３３）に振動制御信号を出力し、前記の振動ユニット（１０）を直前の振動の強さ、すなわち弱震度スイッチ（６８）が押されている場合は、前記の振動ユニット（１０）を弱く駆動して弱振動で一定の時間（例えば、１０分；これは可変できる）の間人体に印加すると同時に、前記のスピーカ（２３０）で警報音が出力され覚ますようになって盗難を防止することができるし、強振動スイッチ（６６）が押されている場合は、前記の振動ユニット（１０）を強く駆動して、強振動で一定の時間（例えば、１０分；これは可変できる）の間人体に印加すると同時に、前記のスピーカー（２３０）から警報音が出力されて覚ますようになって盗難を防止することができる。
【００６３】
一方、本発明の一実施例による疲労回復用のクッション体を胸に抱くかまたは、脚の間に挟んで眠る場合は、一定した時間が経過してから起きたい場合は、アラームユニット（４００）のアラーム時間設定手段（４１０）により一定時間（例えば３時間、６時間または８時間等）を設定して置けば、前記アラームユニット（４００）のタイマー（４３０）が時間をカウントして、前記のアラーム時間設定手段（４１０）により設定された時間が経過すると、時間の経過信号を前記のスイッチ（ＳＷ２０）を通じて前記制御機（３０）のマイクロプロセッサ（３１）に出力することにより、前記のマイクロプロセッサ（３１）でアラーム（警報）制御信号をスピーカー（２３０）に出力し、前記のスピーカ（２３０）からアラーム信号が出力されて、眠っている使用者が設定時間に起きることができるだけでなく、前記制御機（３０）のマイクロプロセッサ（３１）では、前記の振動駆動手段（３３）に振動制御信号を出力して前記の振動ユニット（１０）を直前の振動の強さ、すなわち弱振動スイッチ（６８）が押されている場合は、前記の振動ユニット（１０）を弱く駆動して弱振動で一定時間（例えば１０分：これは可変できる）の間人体に印加するかまたは強振動スイッチ（６６）が押されている場合は、前記の振動ユニット（１０）を強く駆動して、強い駆動で一定の時間（例えば、１０分；これは可変できる）の間人体に印加して熟眠から覚ますようにして盗難を防止することができる。
【００６４】
このアラーム（警報）信号の出力を停止させるためには、前記のスイッチ（ＳＷ２０）をオフさせればよいし、盗難防止機能を動作を動作させなかった場合は、前記の送信ユニット（２２０、２６０） のスイッチ（ＳＷ４０、ＳＷ４１）または、受信ユニット（３００）のスイッチ（ＳＷ１０）をオフさせるとよい。
【００６５】
従って、本発明は眠る時の盗難を防止できるし、設定時間が経過すると使用者が起きることができ、休憩時または眠る時に前記の振動ユニットを駆動して人体に振動を印加すると同時に、電熱線から発熱される熱を人体に印加して疲労を回復することができ、前記の振動ユニットの駆動時に振動騒音が発生されず、または製造過程が簡単で生産収率が向上させ得るし、製造コストも節減できる。
【００６６】
前記の説明において、前記の入力手段（６０）に形成されたジャック（６９）に陰イオン放射ユニット（２４０）を電気的に接続して陰イオンを放出するように構成したことを例をあげて説明したが、本発明はこれに限定されず、例えば前記の入力手段（６０）に形成されたジャック（６９）に携帯フォン（モバイルフォン）充電器、読書等、電気かみそり機等を電気的に接続して使用できることはもちろんのことである。
【００６７】
前記の説明において、特定の実施例をあげて図示、説明したが、本発明はこれに限定されず、例えば本発明の概念から離脱されない範囲内で該技術分野の通常の知識を有するものにより多様に設計変更できることはもちろんである。
【図面の簡単な説明】
【００６８】
【図１】本発明の一実施例による疲労回復用のクッション装置を概略的に図示した斜視図。
【図２】図１の上・下部クッション体からなる円柱形状のクッション体を概略的に図示した斜視図。
【図３】図２の円柱形状のクッション体を分解して図示した斜視図。
【図４】本発明の一実施例による疲労回復用のクッション装置において、上・下クッション体に内設される振動モーターを受容するケースを分解して図示した斜視図。
【図５】図１の矢印Ａ−Ａ線に沿って取った縦断面図。
【図６】本発明の一実施例による疲労回復用のクッション装置における入力手段及び表示手段が設けられた制御機を概略的に図示した左側面斜視図。
【図７】本発明の一実施例による疲労回復用のクッション装置における陰イオン放射ユニット、アラーム時間の設定手段及びアラーム時間の表示手段を概略的に図示した右側面図。
【図８】本発明の一実施例による疲労回復用のクッション装置を制御する制御機の回路図。
【図９】本発明の一実施例による疲労回復用のクッション装置に適用される送信ユニットを概略的に図示したブロック図。
【図１０】本発明の一実施例による疲労回復用のクッション装置に適用されるまたは他の実施例の送信ユニットを概略的に図示したブロック図。
【図１１】本発明の一実施例による疲労回復用のクッション装置に適用される受信ユニットのＲＦ受信モジュールの詳細回路図。
【符号の説明】
【００６９】
１０：振動ユニット             １０ａ：第１振動モーター
１０ｂ：第２振動モーター       １０ｃ：第３振動モーター
２０：クッション体             ２０ａ：上部クッション体
２０ｂ：下部クッション体       ２２：受容溝
３０：制御機                   ３１：マイクロプロセッサ
３２：リレー                   ３３：振動駆動手段
３４：ＥＥＰＲＯＭ             ４０：アダプター
５０：発熱板                   ５１：接着剤層
５２：電熱線                   ５３：バイメタル
５４：温度検出センサー         ５５：絶縁層
５６：カバー                   ６０：入力手段
６２：温熱オン／オフスイッチ   ６４：振動オン／オフスイッチ
６６：強振動スイッチ           ６８：弱振動スイッチ
６９：ジャック                 ７０：表示手段
８０：内部カバー               ９０：外部カバー
９２：ロープ                   １００：香りケース
１１０：ケース                  ２３０：スピーカー
２２０：送信ユニット            ２２１：永久磁石
２２２：近接スイッチ            ２２３：送信制御機
２２４：発振機                  ２２５：変調手段
２２６：ＲＦ増幅手段            ２２７：ローパスフィルター
２２８：送信アンテナー          ２２９：バッテリ
２４０：陰イオン放射ユニット    ２６０：送信ユニット
２６１：送信制御機              ２６２：赤外線検出手段
２６３：ノイズフィルター        ２６４：増幅手段
２６５：発振機                  ２６６：変調手段
２６７：ＲＦ増幅手段            ２６８：ローパスフィルター
２６９：送信アンテナー          ２７０：バッテリ
３００：受信ユニット            ３１０：受信アンテナー
３１１：増幅手段                ３２０：ＲＦ受信モジュール
３２１：第１増幅手段            ３２１ａ：タンク回路
３２３：フィルター／検波手段    ３２４：ＲＣフィルター
３２５：Ａ／Ｄ変換機            ４００：アラームユニット
４１０：アラーム時間の設定手段  ４１１：アラーム時間の設定スイッチ
４１２：時間の可変スイッチ      ４１３：分の可変スイッチ
４１４：時間／分の減少スイッチ  ４１５：時間／分の増加スイッチ
４２０：アラーム時間の表示手段  ４３０：タイマー
【図１】
2005103252.tif 000003
【図２】
2005103252.tif 000004
【図３】
2005103252.tif 000005
【図４】
2005103252.tif 000006
【図５】
2005103252.tif 000007
【図６】
2005103252.tif 000008
【図７】
2005103252.tif 000009
【図８】
2005103252.tif 000010
【図９】
2005103252.tif 000011
【図１０】
2005103252.tif 000012
【図１１】
2005103252.tif 000013